(57)【特許請求の範囲】
【請求項１】
複数の表示パネルを含み、且つ前記複数の表示パネルを視差に基づいた間隔をあけて平行に重ね合わせることにより、前記複数の表示パネルを正面から観る方向において画像を結像させるためのディスプレイパネルに当該画像を表示するための画像表示装置であって、
表示用画像データに適用する所定パターンを取得するための手段を備え、
前記所定パターンは、前記表示用画像データの所定部分の画像データに対応する部分のパターンの密度が他の部分の密度よりも高いパターンであり、
さらに、
前記表示用画像データを、前記所定パターンに従って分割された複数の画像データのそれぞれを、前記複数の表示パネルのそれぞれに表示するための手段を備える画像表示装置。
【請求項２】
前記所定部分は、画像表示中に前記ディスプレイパネルがタッチされた場合において、前記所定パターンの中のタッチ部分に対応した部分である、請求項１に記載の画像表示装置。
【請求項３】
前記表示用画像データは所定データを表示するための画像データを含み、
前記表示するための手段は、
前記表示用画像データのうち前記所定データの画像データを前記所定パターンに従って分割された複数の画像データのそれぞれを、前記複数の表示パネルのそれぞれに表示する、請求項１または２に記載の画像表示装置。
【請求項４】
複数の表示パネルを含み、且つ前記複数の表示パネルを視差に基づいた間隔をあけて平行に重ね合わせることにより、前記複数の表示パネルを正面から観る方向において画像を結像させるためのディスプレイパネルに当該画像を表示するための画像表示装置であって、
表示用画像データに適用する所定パターンを取得するための手段を、備え、
前記表示用画像データは所定データを表示するための画像データを含み、
前記所定データは、外部から受付けたユーザ操作により指定されたデータであって、
さらに、
前記表示用画像データのうち前記所定データを表示するための画像データを、前記所定パターンに従って分割された複数の画像データのそれぞれを、前記複数の表示パネルのそれぞれに表示するための手段を備える、画像表示装置。
【請求項５】
前記取得するための手段は、
前記所定パターンを、外部から受付けた操作に基づき作成する手段を含む、請求項１から４のいずれかに記載の画像表示装置。
【請求項６】
前記表示するための手段は、
前記複数の表示パネルそれぞれに表示される画像のサイズを、前記複数の表示パネルの当該表示パネル間の間隔に基づき変更する、請求項１から５のいずれかに記載の画像表示装置。
【請求項７】
複数の表示パネルを含み、且つ前記複数の表示パネルを視差に基づいた間隔をあけて平行に重ね合わせることにより、前記複数の表示パネルを正面から観る方向において画像を結像させるためのディスプレイパネルが接続されるプロセッサに画像表示方法を実行させるためのプログラムであって、
前記画像表示方法は、
前記プロセッサに、表示用画像データに適用する所定パターンを取得させるステップを備え、
前記所定パターンは、前記表示用画像データの所定部分の画像データに対応する部分のパターンの密度が他の部分の密度よりも高いパターンであり、
さらに、
前記プロセッサに、前記表示用画像データを、前記所定パターンに従って分割させ、分割された複数の画像データのそれぞれを、前記複数の表示パネルのそれぞれに表示させるステップを備えるプログラム。
【請求項８】
複数の表示パネルを含み、且つ前記複数の表示パネルを視差に基づいた間隔をあけて平行に重ね合わせることにより、前記複数の表示パネルを正面から観る方向において画像を結像させるためのディスプレイパネルが接続されるプロセッサに画像表示方法を実行させるためのプログラムであって、
前記画像表示方法は、
前記プロセッサに、表示用画像データに適用する所定パターンを取得させるステップを、備え、
前記表示用画像データは所定データを表示するための画像データを含み、
前記所定データは、外部から受付けたユーザ操作により指定されたデータであって、
さらに、
前記プロセッサに、前記表示用画像データのうち前記所定データを表示するための画像データを、前記所定パターンに従って分割させ、分割された複数の画像データのそれぞれを、前記複数の表示パネルのそれぞれに表示させるステップを備える、プログラム。
【請求項９】
請求項７または８に記載のプログラムを記録したコンピュータ読み取り可能な記録媒体。
【発明の詳細な説明】
【技術分野】
【０００１】
この発明は、画像を立体視するための画像表示装置に関し、特に、画像の覗き見防止機能を有する画像表示装置に関する。
【背景技術】
【０００２】
液晶表示デバイスを有するテレビ、携帯電話機などの携帯型端末は、立体画像いわゆる３Ｄ（three-dimensionalの略）画像を含むコンテンツを表示する機能を有する。たとえば、特許文献１では、３Ｄ画像の表示機能を有するマルチビュー指向性表示装置が開示され、特許文献２では、視差（パララックス）バリヤを用いた３Ｄ画像の表示方法が開示される。
【０００３】
３Ｄ画像を含むコンテンツには製作コストがかかることから、コンテンツによっては、他人に見せたくないコンテンツも増えてくると思われる。そこで、表示中の３Ｄ画像の他人による覗き見の防止機能の提供が望まれていた。
【０００４】
３Ｄ画像の覗き見防止機能に関して、従来の平面画像いわゆる２Ｄ（two-dimensionalの略）画像のための覗き見防止機能が適用されている。具体的には、液晶画面の上に覗き見防止の為の樹脂材料からなるフィルム状のシートを貼り付けていた。または、画像を表示中に、画像の上に当該画像とは別の図柄やアニメーションを重畳して表示させることで、周囲から表示中の画像を見えにくくする機能（以下、ベールビューという）が提供されていた。
【先行技術文献】
【特許文献】
【０００５】
【特許文献１】特表２００９−５００６７２号公報
【特許文献２】特開２００２−２０２４７７号公報
【発明の開示】
【発明が解決しようとする課題】
【０００６】
２Ｄ画像のためのベールビューを利用する場合には、ベールビューをＯＮにすると画像全体に別の図柄やアニメーションが重畳して表示されるので、他人による覗き見防止が可能になるが、使用している本人も画像が見えにくくなる。
【０００７】
それゆえに本発明の目的は、覗き見防止機能が動作時においても表示パネル正面方向から観察する画像の視認性は維持する画像表示装置を提供することである。
【課題を解決するための手段】
【０００８】
この発明のある局面に従う画像表示装置は、複数の表示パネルを含み、且つ複数の表示パネルを視差に基づいた間隔をあけて平行に重ね合わせることにより、表示パネルを正面から観る方向において画像を結像させるためのディスプレイパネルに画像を表示するための画像表示装置であって、表示用画像データに適用する所定パターンを取得するための手段と、表示用画像データを、所定パターンに従って分割された複数の画像データのそれぞれを、複数の表示パネルのそれぞれに表示するための手段と、を備える。
【０００９】
好ましくは、取得するための手段は、所定パターンを、外部から受付けた操作に基づき作成する手段を含む。
【００１０】
好ましくは、所定パターンは、表示用画像データの所定部分の画像データに対応する部分のパターンの密度が他の部分の密度よりも高いパターンである。
【００１１】
好ましくは、所定部分は、画像表示中にディスプレイパネルがタッチされた場合において、所定パターンの中のタッチ部分に対応した部分である。
【００１２】
好ましくは、表示用画像データは所定データを表示するための画像データを含み、表示するための手段は、表示用画像データのうち所定データの画像データを所定パターンに従って分割された複数の画像データのそれぞれを、複数の表示パネルのそれぞれに表示する。
【００１３】
好ましくは、表示するための手段は、複数の表示パネルそれぞれに表示される画像のサイズを、複数の表示パネル間の間隔に基づき変更する。
【発明の効果】
【００１４】
本発明によれば、複数の表示パネルを視差に基づいた間隔をあけて平行に重ね合わせたディスプレイパネルの各表示パネルに分割した各画像を表示することで、表示パネル正面方向から観察する方向において画像を結像させるが、他の方向から見る場合には、表示パネル間の間隔で画像はずれたように結像する。これにより、覗き見防止機能が動作時においても表示パネル正面方向から観察する画像の視認性は維持することができる。
【図面の簡単な説明】
【００１５】
【図１】本実施の形態に係る画像表示装置が搭載される携帯型電話機のブロック図である。
【図２】本実施の形態に係る表示部の構成図である。
【図３】本実施の形態に係る合成画像データに従うベールビュー実現の方法を説明するための表示画像を例示する図である。
【図４】本実施の形態に係る視点について説明する図である。
【図５】本実施の形態に係るベールビュー実施時の表示画像の或る部分を拡大した状態を示すイメージ図である。
【図６】本実施の形態に係る深度差に従って表示画像のサイズを変更する手順を模式的に示す図である。
【図７】本実施の形態に係る深度差による画像サイズ変更を含むベールビュー実施のための処理フローチャートである。
【図８】本実施の形態に係るベールビュー強調の指定方法を取得する処理フローチャートである。
【図９】本実施の形態に係るベールビュー強調処理のフローチャートである。
【図１０】本実施の形態に係る電話帳データの表示画像のうち電話番号の画像のみにベールビューを実施した状態を示す図である。
【図１１】本実施の形態に係るアプリケーション毎にベールビューを設定するためのフローチャートである。
【図１２】本実施の形態に係るベールビュー情報の取得処理のフローチャートである。
【図１３】本実施の形態に係るベールビュー情報の他の例を示す図である。
【図１４】本実施の形態に係るベールビュー情報の他の例を示す図である。
【図１５】本実施の形態に係るベールビュー情報の他の例を示す図である。
【発明を実施するための形態】
【００１６】
以下、この発明の実施の形態について図面を参照して詳細に説明する。
本実施の形態では、画像表示装置は携帯情報処理端末の１種である携帯型電話機に搭載される場合を例示するが、搭載される装置は携帯情報処理端末に限定されず、コンピュータなど据え置き型の装置に搭載されるとしてもよい。
【００１７】
（構成）
図１は、本実施の形態に係る画像表示装置が搭載される携帯型電話機のブロック図である。図１を参照して携帯型電話機１００は、通信のためのアンテナ１５１および無線装置１５、プログラムおよびデータを記憶するためのＲＯＭ（Read Only Memory）およびＲＡＭ（Random Access Memory）などからなる記憶部１１０、ユーザからの指示を受付けるために操作される操作部１４０、ＣＰＵ（Central Processing Unit）１２０、ディスプレイパネル１６０および画像を表示するようにディスプレイパネル１６０を制御するための表示ドライバ１３０を備える。
【００１８】
記憶部１１０は、静止画および動画の各種の画像データを記憶するための画像記憶部１、ならびにベールビュー情報を記憶するためのベールビューテンプレート記憶部２、自作ベールビュー記憶部３、ベールビューパターン記憶部４およびダウンロードベールビュー記憶部５を含む。
【００１９】
ベールビューテンプレート記憶部２にはベールビュー情報のテンプレートが予め格納される。自作ベールビュー記憶部３には、ユーザが自ら、またはベールビューテンプレート記憶部２のテンプレートを利用して操作部１４０の操作により作成したベールビュー情報が格納される。ダウンロードベールビュー記憶部５には、外部装置からインターネットなどの通信回線（図示せず）および無線装置１５を介してダウンロードしたベールビュー情報が格納される。
【００２０】
操作部１４０は、ディスプレイパネル１６０と一体的に構成されるタッチパネル部６Ａおよび複数のキーからなるキー部６Ｂを含む。
【００２１】
図２には、本実施の形態に係る表示部の構成が示される。表示部は、図１の表示ドライバ１３０よびディスプレイパネル１６０を含む。図２を参照して、ディスプレイパネル１６０は、表示用光源としてのバックライト４００、バックライト４００から出射される白色光を均一に拡散する拡散板（図示せず）、液晶層を２枚の基板で挟んだ構成の複数枚の液晶パネル３３０，３３１，３３２，３３３を含む。なお、立体視可能とするために複数枚の液晶パネルは、視差に基づいた間隔（距離）をあけて表示面を平行にして層状に重ね合わせられる。
【００２２】
表示ドライバ１３０は、バックライトの４００の制御部（図示せず）、液晶パネル３３０，３３１，３３２，３３３のそれぞれに対応して設けられて、且つ対応する液晶パネルの動作を制御するための液晶ドライバ１４０，１４１，１４２，１４３を含む。ここでは、液晶パネル３３０，３３１，３３２，３３３のそれぞれは同様な構成および機能を有するので、液晶パネルと総称する場合がある。また、液晶ドライバ１４０，１４１，１４２，１４３のそれぞれも同様な構成および機能を有するので、液晶ドライバと総称する場合がある。
【００２３】
本実施の形態では、層状に重ねられた液晶パネル３３０，３３１，３３２，３３３のそれぞれを、層として区分する場合にはディスプレイパネル１６０の表面側に位置する液晶パネルから順番に深度０レイヤ、深度１レイヤ、深度２レイヤ、深度３レイヤと称する。ここで“深度”は、矢印Ｒ方向に、すなわちディスプレイパネル１６０を正面方向から観察するユーザの眼から液晶パネルで表示される画像までの距離を指す。したがって、遠方に表示するべき画像をたとえば深度３レイヤに表示し、近くに表示するべき画像をたとえば深度１レイヤに表示することで、矢印Ｒ方向に観察するユーザに対して表示画像に遠近感をもたらし、立体視させることができる。
【００２４】
液晶パネルは、２枚のガラス材料からなる基板を有し、両基板は間に液晶層を挟持（封止）する。両基板の液晶層側には、液晶パネルの表示素子の構成要素として、スイチッング素子である薄膜トランジスタ（ＴＦＴ）、画素電極、バス配線、配向膜、ブラックマトリクス（ＢＭ）などが設けられている。すなわち、一方の基板は、いわゆるＴＦＴアレイ基板であり、他方の基板は、いわゆるカラーフィルタ基板（ＣＦ基板）である。このように液晶パネルは、画素がマトリクス状に配列されたアクティブマトリクス型の液晶パネルである。
【００２５】
ＴＦＴアレイ基板は、ガラス材料の基板と、この基板上に形成された複数のＴＦＴ素子と、ＴＦＴ素子のドレイン電極に接続された画素電極と、この基板の背面上に配置された偏光板とを含む。ＣＦ基板は、ガラス材料の基板と、この基板の主表面のうち、ＴＦＴアレイ基板と対向する主表面に形成されたカラーフィルタと、カラーフィルタ上に形成された共有電極と、この基板上に配置された偏光板とを含む。動作において、液晶パネルは、対応の液晶ドライバから、画素電極と共有電極とにそれぞれ画像データに従って所定の電圧が印加されることで、液晶層内の液晶分子の配列が制御され、画素ごとにバックライト４００からの光の透過が制御される。この場合に、ディスプレイパネル１６０の、たとえばレイヤ０の画像が表示されない部分画素には、その下の例えばレイヤ１の液晶パネルからの光を透過するように電圧が印加される。これにより、当該部分画素に対応したレイヤ１の画素を透過する光はレイヤ０を透過して観察者の眼に入射する。これにより、異なるレイヤに画像を表示しても、異なるレイヤの表示画像を同時に確認することができる。
【００２６】
本実施の形態では、ディスプレイパネル１６０に２Ｄ画像を表示することもできる。ディスプレイパネル１６０に２Ｄ画像を表示するときのメカニズムを説明する。この場合には、複数層のうちの同一レイヤの液晶パネル、より好ましくは深度０レイヤの液晶パネル３３３に液晶ドライバ１４３により記憶部１１０の画像記憶部１から読出された２Ｄ画像が表示される。これにより、観察者は２Ｄ画像を、すなわち平面画像を観察することができる。
【００２７】
本実施の形態では、ユーザは操作部１４０を操作することにより、ディスプレイパネル１６０に表示する画像を３Ｄ画像および２Ｄ画像のいずれかに切替えるための切替指示を入力することができる。切替指示により３Ｄ画像表示が指示されたときは、３Ｄ画像が表示され、２Ｄ画像表示が指示されたときは２Ｄ画像が表示される。
【００２８】
図１に戻り、ＣＰＵ１２０の構成について説明する。なお、ＣＰＵ１２０は、画像記憶部１の２Ｄ画像と３Ｄ画像を表示部に表示するための機能を有するが、ここでは、説明を簡単にするための３Ｄ画像を表示する場合について説明する。なお、本実施の形態では、３Ｄ画像データは異なる深度の液晶パネルに画像を表示させることで立体視させるための画像データを指す。１枚の液晶パネルで表示する場合には、２Ｄ画像として認識されるような画像データである。
【００２９】
ＣＰＵ１２０は、ベールビュー設定部７、３Ｄ画像の分解制御部８、３Ｄ画像認識部９、３Ｄアプリ制御部１６および３Ｄ画像の合成制御部１３を備える。
【００３０】
ベールビュー設定部７は、ベールビューテンプレート記憶部２、自作ベールビュー記憶部３、ベールビューパターン記憶部４およびダウンロードベールビュー記憶部５のいずれかからベールビュー情報を読出し、分解制御部８に出力する。
【００３１】
分解制御部８は、画像記憶部１から読出された３Ｄ画像データと、ベールビュー設定部７から入力したベールビュー情報とに基づき、３Ｄ画像データをベールビュー情報が指示するパターンに従って、異なる深度に表示するべき複数の画像データに分割する。説明を簡単にするために、ベールビュー情報が指示するパターンは市松格子状のパターンであると想定する。
【００３２】
分解制御部８は、３Ｄ画像データを市松格子状に分解することにより、３Ｄ画像データから深度１レイヤの液晶パネルに表示されるべき画像データ１０と深度２レイヤの液晶パネルに表示されるべき画像データ１１とに分割する。たとえば、市松格子が白黒の２色で区分される場合に、白の領域の画像データ１０と黒の領域の画像データ１１とに分割することになる。
【００３３】
なお、ベールビュー情報が指示するパターンによっては、分割により、さらに別の深度たとえば深度３レイヤの液晶パネルに表示されるべき画像データ１２が出力される場合もある。ここでは、説明を簡単にするために、３Ｄ画像データは、画像データ１０と１１に分割されると想定する。
【００３４】
画像データ１０と１１は、合成制御部１３に与えられる。合成制御部１３は、画像データ１０と１１を合成し、合成により取得した画像データ（以下、合成画像データという）を、表示部に出力する。具体的には、合成制御部１３は、画像データ１０と１１のそれぞれに対して深度０レイヤ〜深度３レイヤのうちいずれのレイヤに表示させるかを指示する“レイヤデータ”を付加し、操作部１４０から入力した“３Ｄ切替指示”を含ませることにより合成画像データを取得する。
【００３５】
表示ドライバ１３０は、画像データ１０と１１のそれぞれに対応した“レイヤデータ”に基づき、当該画像データを与えるべき液晶ドライバを決定し、決定した液晶ドライバに対応の画像データを出力する。ここでは、深度０レイヤ〜深度３レイヤの各深度と、当該レイヤの液晶パネルを駆動する液晶ドライバを指す情報とを対応付けたテーブルが記憶部１１０に予め格納されている。したがって、表示ドライバ１３０は、合成画像データの“レイヤデータ”に基づき当該テーブルを検索することにより、画像データ１０と１１を与えるべき液晶ドライバを決定することができる。
【００３６】
この場合、テーブルを検索することにより、表示ドライバ１３０は、画像データ１０を液晶ドライバ１４２に与え、画像データ１１を液晶ドライバ１４１に与える。液晶ドライバ１４２は画像データ１０に従って、液晶パネル３３２の画素電極と共有電極とにそれぞれ電圧を印加することにより、画像データ１０に従う画像を表示させる。また、液晶ドライバ１４１は画像データ１１に従って、液晶パネル３３１の画素電極と共有電極とにそれぞれ電圧を印加することにより、画像データ１１に従う画像を表示させる。
【００３７】
（パターン分割による画像表示）
図３は、合成画像データに従うベールビュー実現の方法を説明するための表示画像を例示する図である。図３の（Ａ）には、元の３Ｄ画像データによる表示画像１０１が示される。本実施の形態では、この３Ｄ画像データを、図２で説明した表示の飛び出しや奥行きを表現するための“深度”の異なるレイヤを利用することにより、ベールビューを実現する。図４で、異なる視点でディスプレイパネル１６０の表示画像を確認する状態を模式的に説明する図である。
【００３８】
まず、図３の（Ｂ）と（Ｃ）には、液晶パネル３３２による画像データ１０に従う表示画像１０２と、液晶パネル３３１による画像データ１１に従う表示画像１０３とが示される。ここでは、分解制御部８は、３Ｄ画像データをスリット状に分割するのではなく、ベールビュー情報に従って市松格子状に分割することにより、元の３Ｄ画像データから、異なる深度に表示されるべき２つの画像データを生成する。２つの画像データは、ともに元の３Ｄ画像データの縦情報および横情報が１/２となるように加工されている。つまり、２つの画像データに従う画像１０２と１０３を図３の（Ｄ）のように重畳して合成したときに元の画像全体を確認することができるような表示画像１０４が得られるように分割が行われる。これにより、画像１０２と１０３が表示されることで、ディスプレイパネル１６０の正面方向である図２の矢印Ｒ方向に表示画像を観察するユーザには、画像１０２と１０３が表示される異なるレイヤ間の深度に従う設定視差量に基づく奥行感があたえられる。
【００３９】
これに対し、正面方向以外から画像を観察する場合には、液晶パネル間の間隔により観察者の眼には画像がずれたように結像する。つまり、従来のパララックスバリヤを用いて立体視させる場合には、縦スリット分割のために２つの画像（左目用画像および右目用画像）それぞれは、横方向の情報が半減するだけであるが、本実施の形態では市松格子状に分割することで縦方向および横方向ともに情報は減少する。したがって、図３の（Ｅ）の画像１０２と画像１０３が同時に表示された場合には、ディスプレイパネル１６０を正面方向から観る図４のＡさんの視点からは、図３の（Ｄ）のような画像を観察できる。これに対して、ディスプレイパネル１６０の右側方向から見る場合（図４のＢさんの視点）では、左側となる画像１０３の一部が結合して画像が部分的に欠落した状態の画像１０５を観察することになる。図４のＣさんの視点による左側方向から表示画像を観る場合にも右側方向から見るＢさんと同様に見えことになる。なお、図３では、市松格子状の画面分割が分かりやすいように、色を濃くしているが、実際は同じ色相である。
【００４０】
図５は、パターン分割によるベールビュー実施時の図３の（Ｄ）の表示画像１０４の或る部分を拡大した状態を示すイメージ図である。図５の（Ａ）は、当該部分における深度１レイヤの表示画像１０２と深度２レイヤの表示画像１０３が拡大して示される。図５の（Ａ）は表示画像１０４の当該部分画像をディスプレイパネル１６０の正面方向から見た画像を示し、図５の（Ｂ）と（Ｃ）は当該部分画像をディスプレイパネル１６０の右側方向と左側方向から見た画像をそれぞれ示し、図５の（Ｄ）は当該部分を、ディスプレイパネル１６０を斜め左側方向から見た画像を示す。
【００４１】
図示されるように、市松格子状に従って分割した画像それぞれを異なるレイヤの液晶パネルに表示することによって、ディスプレイパネル１６０を観る方向（角度）によって、部分３０１のように異なるレイヤの表示画像どうしが重なるようにずれてしまうために画像が暗くなって見える部分と、部分４０１のように異なるレイヤの表示画像どうしがずれて重ならず、隙間ができ、隙間では何も画像が表示されないように見える部分が発生する。これにより、深度の違いを利用することで、ディスプレイパネル１６０を正面方向から観察した者の眼には、部分３０１および４０１を含まない正しい画像（表示画像１０４）を結像させることが可能となり、正面方向ではない他の方向から観察した者の眼には、図５の（Ｂ）〜（Ｄ）のように部分３０１と４０１を含む画像が結像することになって表示画像１０４を確認することができなくなる。これにより、ディスプレイパネル１６０を正面方向とは異なる方向から観る者には、表示画像１０４に対してベールビューを実施することができる結果、覗き見を防止することができる。
【００４２】
（深度差による画像サイズの変更）
図６は、深度の差に従って表示画像のサイズを変更する手順を模式的に示す図である。上述した市松格子状に画像を分割した場合には、分割により取得した画像１０２と画像１０３が表示されるレイヤ間の深度差が大きくなるほど、表示画像１０４においては、図６の（Ａ）に示すように、隣接する画像１０２と画像１０３との間の隙間が大きくなる。深度差が大きくなると、この隙間は、ディスプレイパネル１６０の正面方向から観察する場合であっても顕著となる。
【００４３】
そこで、本実施の形態では、覗き見防止効果を維持しながら且つ正面方向からの表示画像１０４の視認性を改善するために、当該隙間を画像で補うように（図６の（Ｂ）参照）、合成制御部１３のサイズ変更部１３１による表示画像のサイズ変更処理が行われる。図６の（Ｂ）では、より深度が大きい液晶パネルに表示される画像１０３を、そのサイズを大きくし画像１０３Ａに変更する。これにより、深度差による隙間がサイズ拡大された画像１０３Ａにより補われて、表示画像１０４の視認性が損なわれるのを防止することができる。
【００４４】
図７は、本実施の形態に係る深度差による画像サイズ変更を含むベールビュー実施のための処理フローチャートである。このフローチャートに従うプログラムは予め記憶部１１０に格納されており、ＣＰＵ１２０が記憶部１１０から当該プログラムを読出し、実行することによりベールビューが実現される。
【００４５】
なお、画像サイズ変更のために、記憶部１１０には調整値テーブル１３２が予め格納される。調整値テーブル１３２には、層状に重ねられた複数の液晶パネル間の間隔である複数種類の深度差と、深度差のそれぞれに対応して調整値が格納される。調整値は、拡大されるべき画像のサイズを１００％とした場合に、何割増しに画像を拡大するかを指示する値（たとえば、１０５％、１１０％など）を指し、予め実験により取得される。
【００４６】
動作において、ベールビュー設定部７は、記憶部１１０から操作部１４０を介してユーザが指定するベールビュー情報を読出し、分解制御部８の出力する（ステップＳ５９）。
【００４７】
分解制御部８は、画像記憶部１から読出した３Ｄ画像と、ベールビュー設定部７から入力したベールビュー情報とに基づき、３Ｄ画像を画像データ１０と画像データ１１とに分割し、画像データ１０と１１は、合成制御部１３に与えられ、合成制御部１３により合成画像データが取得される（ステップＳ６０）。
【００４８】
画像データ１０と１１が、合成制御部１３に与えられると、サイズ変更部１３１は、合成制御部１３が画像データ１０と１１に付加された“レイヤデータ”に基づき、画像データ１０と１１に従う画像を表示するべきレイヤが２個以離れている、すなわち両レイヤ間の深度差が２以上であるか否かを判定する（ステップＳ６１）。
【００４９】
２以上離れていないと判定すると（ステップＳ６１でＮＯ）、処理はステップＳ６５に移行し、合成制御部１３による合成画像データをそのまま表示部に出力する（ステップＳ６５）。
【００５０】
一方、２以上離れていると判定すると（ステップＳ６１でＹＥＳ）、両レイヤ間の深度差に基づき調整値テーブル１３２を検索する。検索により、当該深度差に対応した調整値を調整値テーブル１３２から読出す（ステップＳ６２）。
【００５１】
サイズ変更部１３１は、合成画像データにおいて画像データ１０と１１に付加されている“レイヤデータ”に基づき、画像データ１０と１１のうちから、深度がより大きい方（すなわち、ディスプレイパネル１６０の表面からより遠い方）のレイヤに表示されるべき画像データを選択し、選択された画像データを、ステップＳ６２で読出した調整値に基づく大きさに拡大処理する（ステップＳ６３）。図６では、画像１０３の画像データが拡大処理される。その後、拡大された画像データを含む合成画像データが表示部に出力される。
【００５２】
なお、本実施の形態では、画像の拡大処理には、源画素と源画素との間に推定した画素を与える補間方法を適用するが、適用する方法は、この方法に限定されない。
【００５３】
（ベールビュー強調設定）
図８は、本実施の形態に係るベールビュー強調の指定方法を取得する処理フローチャートである。このフローチャートに従うプログラムは予め記憶部１１０に格納されており、ＣＰＵ１２０が記憶部１１０から当該プログラムを読出し、実行する。
【００５４】
ベールビュー強調の方法は、「タッチ検知強調」と「人検知強調」の２種類があり、操作部１４０からいずれかの方法を予め指定しておくことができる。「タッチ検知強調」は、ユーザがディスプレイパネル１６０でベールビューが実施されている画像中の部分画像をより効果的に隠したい時に、当該部分画像をタッチパネル部６Ａで指定操作することで、当該部分画像に対するベールビュー効果を強調する機能である。「人検知強調」は、ベールビューが実施されるべき３Ｄ画像に人の画像である部分画像が含まれていると判定した場合には、当該部分画像に対するベールビュー効果を強調する機能である。
【００５５】
図８を参照して、ベールビュー設定部７は、操作部１４０の操作に基づき、ユーザが予め指定するベールビュー強調の方法を判定する（ステップＳ３２）。判定の結果は、記憶部１１０に強調指定データ７２として格納される。強調指定データ７２は、初期値として“タッチ検知強調”が設定さていると想定する。
【００５６】
判定の結果、「タッチ検知強調」と判定すると、ベールビュー設定部７は、記憶部１１０の強調指定データ７２に“タッチ検知強調”をセットする（ステップＳ３３）、「人検知強調」と判定すると、ベールビュー設定部７は、強調指定データ７２に“人検知強調”をセットする（ステップＳ３４）。これにより、ユーザが所望するベールビュー強調の方法を取得することができる。
【００５７】
図９は、本実施の形態に係るタッチ検知強調が指定されている場合のベールビュー強調処理のフローチャートである。このフローチャートに従うプログラムは予め記憶部１１０に格納されており、ＣＰＵ１２０が記憶部１１０から当該プログラムを読出し、実行する。ここでは、強調指定データ７２には“タッチ検知強調”がセットされていると想定する。
【００５８】
まず、ディスプレイパネル１６０には、図３の（Ｄ）のようにベールビュー効果を奏する画像１０４が表示される（ステップＳ４１）。ユーザがタッチパネル部６Ａを操作してディスプレイパネル１６０の所望部分をタッチすると、表示ドライバ１３０によりタッチ位置がディスプレイパネル１６０の表面における座標値として検出されて、検出された座標情報は、ＣＰＵ１２０に出力される（ステップＳ４２）。
【００５９】
ディスプレイパネル１６０には、ユーザはタッチした部分の画像のベールビュー効果が他の部分よりも強調された画像が表示される（ステップＳ４３）。具体的には、分解制御部８は、座標情報に基づき、ベールビュー設定部７から入力するベールビュー情報が指示するパターンにおける当該座標に対応する部分パターンを特定し、特定した部分パターンの市松格子のパターン密度が他の部分よりも高くなる、すなわちパターンが細かくなるように変更（編集）し、変更後の市松格子状のパターンを用いて、元の３Ｄ画像を画像データ１０と１１に分割し、当該画像データ１０と１１を含む合成画像データを生成し、表示部に出力する。これにより、ディスプレイパネル１６０には、ユーザはタッチした部分の画像のベールビュー効果が他の部分よりも強調された画像が表示される。
【００６０】
その後、表示ドライバ１３０は、タッチパネル部６Ａの操作による信号に基づき、ユーザがディスプレイパネル１６０からタッチしていた指を離したことを検出すると（ステップＳ４４）、当該検出信号はＣＰＵ１２０に出力される。
【００６１】
ディスプレイパネル１６０には、ユーザがタッチする前のベールビュー効果を有する元の画像が復帰（表示）される（ステップＳ４５）。具体的には、分解制御部８は、ベールビュー設定部７から入力するベールビュー情報が指示するパターンを用いて、元の３Ｄ画像を画像データ１０と１１に分割し、当該画像データ１０と１１を含む合成画像データを生成し、表示部に出力する。これにより、ディスプレイパネル１６０には、ユーザはタッチする前のベールビュー効果を奏する（ベールビュー効果が強調される前の）画像が表示される。
【００６２】
なお、ユーザがディスプレイパネル１６０からタッチしていた指を離すことを想定して、ユーザがタッチする前のベールビュー効果を有する画像データ１０と１１からなる合成画像データを記憶部１１０に退避させておくとしてもよい。そして、タッチしていた指を離したことが検出されたときは、退避しておいた合成画像データを記憶部１１０から読出し表示部に出力すれば、分解制御部８による画像分割と、合成制御部１３による合成画像データの生成を省略することができる。
【００６３】
次に、強調指定データ７２には“人検知強調”がセットされている場合には、ベールビュー効果は次のようにして強調される。
【００６４】
ベールビュー設定部７は、画像記憶部１から３Ｄ画像データを読出すと、強調指定データ７２に基づき、画像認識部９を起動する。画像認識部９は、３Ｄ画像データにおける人間の顔画像を認識する。具体的には、顔の特徴を表すパターンデータを用いて３Ｄ画像データをパターンマッチング処理し、パターンデータと類似度が高い部分の画像を、顔画像と判定する。３Ｄ画像データにおける顔画像に対応する位置座標情報を取得し、分解制御部８に出力する。なお、顔画像の判定方法は、これに限定されない。
【００６５】
分解制御部８は、座標情報に基づき、ベールビュー設定部７から入力するベールビュー情報が指示するパターンにおける当該座標に対応する部分パターンを特定し、特定した部分パターンの市松格子が細かくなるように編集し、編集後の市松格子状のパターンを用いて、元の３Ｄ画像を画像データ１０と１１に分割し、当該画像データ１０と１１を含む合成画像データを生成し、表示部に出力する。これにより、ディスプレイパネル１６０には、人間の顔画像に対するベールビュー効果が他の部分よりも強調された画像を表示することができる。
【００６６】
以上のように、３Ｄ画像のタッチされた部分画像または人の画像については、他の部分画像よりもベールビュー効果を強調することで、所望する部分画像または人の画像が覗き見されるのを効果的に防止することができる。
【００６７】
（アプリケーション別のベールビューの設定）
本実施の形態では、電話帳アプリケーション（プログラム）が起動されると、当該プログラムにより表示される３Ｄ画像のうち電話番号など見せたくない部分画像にベールビューを実施する。図１０には、本実施の形態に係る電話帳データの表示画像のうち電話番号の画像のみにベールビューを実施した状態が示される。
【００６８】
図１１には、本実施の形態による選択されたアプリケーションの表示画像におけるベールビューを実施するべき部分画像を設定するための処理フローチャートである。このフローチャートに従うプログラムは予め記憶部１１０に格納されており、ＣＰＵ１２０が記憶部１１０から当該プログラムを読出し、実行する。
【００６９】
ユーザが操作部１４０を操作してアプリ別ベールビュー機能を選択すると、ＣＰＵ１２０は当該操作に従う指示に基づき、３Ｄアプリ制御部１６を起動する。
【００７０】
３Ｄアプリ制御部１６は、操作部１４０のユーザ操作に基づき、アプリケーションを選択する（ステップＳ５１）。ここでは、アドレス帳のアプリケーション、スケジュール帳のアプリケーション、およびギャラリのアプリケーションのプログラムとデータ（アドレス帳データ、スケジュール帳データ、ギャラリのデータ）が記憶部１１０に予め格納されており、これらのいずれかが選択される（ステップＳ５２、Ｓ５３、Ｓ５４）。アドレス帳データは、名前、住所、電話番号、ＦＡＸ（ファクシミリ）番号などが登録されていると想定する。
【００７１】
たとえば、アドレス帳のアプリケーションが選択されると、３Ｄアプリ制御部１６は、ユーザの操作部１４０の操作に基づき、ベールビューを実施すると指定された情報（たとえば、名前、住所、電話番号、ＦＡＸ番号のうちの１つ以上）を選択する（ステップＳ５５）。たとえば、電話番号が選択されたとする。
【００７２】
３Ｄアプリ制御部１６は、アドレス帳のアプリケーションによる表示画像における選択された情報（電話番号）の表示位置である座標情報を取得する（ステップＳ５６）。これにより、アドレス帳のアプリケーションによる表示画像における選択された情報の部分画像にのみベールビューを実施するための情報が設定される。
【００７３】
その後、アドレス帳のアプリケーションが起動されて、図１０の画像が表示される場合には、３Ｄアプリ制御部１６は、記憶部１１０から読出したアドレス帳のデータに基づき所定手順で３Ｄ画像データを生成し、生成した３Ｄ画像データと、ステップＳ５６で取得した座標情報（電話番号の画像の位置座標情報）とを分解制御部８に出力する。
【００７４】
分解制御部８は、３Ｄアプリ制御部１６からの座標情報と３Ｄ画像データとベールビュー設定部７からのベールビュー情報に基づき市松格子のパターンを、座標情報が指示する部分画像にのみ適用して３Ｄ画像データを深度１画像データ１０と深度２画像データ１１に分割する。これにより、３Ｄ画像データの画像のうち座標情報が指示する部分画像のみ市松格子のパターンに従って異なる深度の２枚の画像に、そして３Ｄ画像データの画像の他の領域の画像は分割されずに、一方の深度（たとえば、深度１）にのみ表示されるように分割が行われる。
【００７５】
このようにして分割された画像データは合成制御部１３を介して表示部に出力され、ディスプレイパネル１６０に表示される（図１０を参照）。
【００７６】
（ベールビュー情報の取得）
図１２は、本実施の形態に係るベールビュー情報の取得処理のフローチャートである。このフローチャートに従うプログラムは予め記憶部１１０に格納されており、ＣＰＵ１２０が記憶部１１０から当該プログラムを読出し、実行することによりベールビュー設定部７による機能が実現される。図１２のフローチャートに従って、ユーザ操作による使用するベールビュー情報の選択および取得するための処理を説明する。
【００７７】
ユーザが操作部１４０を操作してベールビュー設定機能を選択すると、ベールビュー設定部７は、使用するベールビュー情報の選択肢をディスプレイパネル１６０に表示する（ステップＳ１１）。選択肢は、たとえば、「テンプレート」、「ネットワークからダウンロード」、および「ユーザ作成」を含む。ユーザは操作部１４０を操作して所望する選択肢を選択する。
【００７８】
「テンプレート」が選択されると（ステップＳ１２）、ベールビュー設定部７は、使用するベールビュー情報を、ベールビューテンプレート記憶部２から読出す（ステップＳ２１）。これにより、使用するベールビュー情報が決定する。
【００７９】
「ネットワークからダウンロード」が選択されると（ステップＳ１３）、ベールビュー設定部７は無線装置１５を介して所定サーバ装置のホームページをアクセスし（ステップＳ１５）、当該ホームページから所望のベールビュー情報を選択し（ステップＳ１６）、選択したベールビュー情報をダウンロードし、記憶部１１０のダウンロードベールビュー記憶部５に格納する（ステップＳ２０）。ベールビュー設定部７は、使用するベールビュー情報を、ダウンロードベールビュー記憶部５から読出す（ステップＳ２１）。これにより、使用するベールビュー情報が決定する。
【００８０】
また、ユーザは所望するベールビュー情報を作成することもできる。操作部１４０を介してユーザにより「ユーザ作成」が選択される（ステップＳ１４）、ベールビュー設定部７はベールビューテンプレート記憶部２からテンプレートであるベールビューのパターンを読出し、ディスプレイパネル１６０に表示する。ユーザは、操作部１４０を操作して所望するテンプレートを選択する（ステップＳ１７）。
【００８１】
ユーザは、選択したテンプレートを所望のベールビューのパターンに編集するために、操作部１４０を操作する。ベールビュー設定部７のパターン作成部７１は、操作部１４０からのユーザ操作に基づき、たとえば、テンプレートのパターンの個数およびパターンの大きさを変更することによりユーザ所望のパターンを作成する（ステップＳ１８、Ｓ１９）。具体的には、テンプレートが市松模様の格子パターンである場合には、格子のマスの個数および大きさを変更する。これにより、１つのテンプレートから覗き見防止のためのユーザが所望するベールビューのためのパターンを作成する。
【００８２】
ベールビュー設定部７は、作成されたパターンのベールビュー情報を自作ベールビュー記憶部３に格納する（ステップＳ２０）。ベールビュー設定部７は、使用するベールビュー情報を、自作ベールビュー記憶部３から読出す（ステップＳ２１）。これにより、使用するベールビュー情報が決定する。
【００８３】
（ベールビュー情報の例示）
ベールビュー情報として利用できるパターンは、上述した市松模様の格子状に限定されるものではない。たとえば、図１３の左側のパターンで画像データ１０と１１に分割する場合でも、ディスプレイパネル１６０を正面方向ではなく右側方向または左側方向から見る場合には、図１３の右側のように画像データ１０と１１の画像間に隙間を生じさせることができ、ベールビューの効果を得ることができる。
【００８４】
また、図１４および図１５のように星型および丸型のパターンを用いることもできる。図１５では見られたくない部分画像をタッチすることによって、上述の“タッチ検知強調”の機能によりパターンが集まって複雑にすることもできる。
【００８５】
（他の実施の形態）
本実施の形態の上述した各種機能は、ＣＰＵ１２０のプロセッサを含むコンピュータを動作させるための表示処理プログラムとして提供することもできる。このようなプログラムは、携帯電話機に付属するメモリ媒体（メモリ形状のカード、フレキシブルディスク、ＣＤ（Compact Disc）−ＲＯＭ、ＲＯＭ、ＲＡＭなど）であって、ＣＰＵ１２０が読取り可能な記録媒体に記録させて、プログラム製品として提供することもできる。あるいは、ネットワークを介して無線装置１５により受信した携帯電話機の所定記憶領域へのダウンロードによって、プログラムを提供することもできる。
【００８６】
提供されるプログラム製品は、記憶部１１０などのプログラム格納部にインストールされてＣＰＵ１２０により読出されて実行される。なお、プログラム製品は、プログラム自体と、プログラムが記録された記録媒体とを含む。
【００８７】
（実施の形態の効果）
本実施の形態によれば、ベールビューに適用するパターンを、ユーザが所望するように作成することができ、また、外部装置から配信されるテンプレートなどから選択することもでき、ベールビューによる効果的な覗き見防止をすることができる。
【００８８】
“タッチ検知強調”の機能によりタッチするだけで、ベールビューを強調することができる。また、ユーザが記憶部１１０に格納しておいた３Ｄ画像のみならずアプリケーションプログラムによる表示画像の一部（電話番号など）にベールビューを実施することができて、利便性に優れる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１  画像記憶部、２  ベールビューテンプレート記憶部、３  自作ベールビュー記憶部、４  ベールビューパターン記憶部、５  ダウンロードベールビュー記憶部、６Ａ  タッチパネル部、６Ｂ  キー部、７  ベールビュー設定部、８  分解制御部、９  画像認識部、１０，１１，１２  画像データ、１３  合成制御部、１５  無線装置、１６  アプリ制御部、７１  パターン作成部部、７２  強調指定データ、１００  携帯型電話機、１０１，１０２，１０３，１０４  表示画像、１１０  記憶部、１３０  表示ドライバ、１３１  サイズ変更部、１３２  調整値テーブル、１４０  操作部、１４０，１４１，１４２，１４３  液晶ドライバ、１５１  アンテナ、１６０  ディスプレイパネル、３３０，３３１，３３２，３３３  液晶パネル、４００  バックライト。
【図１】
0005711079.tif 000002
【図２】
0005711079.tif 000003
【図４】
0005711079.tif 000004
【図７】
0005711079.tif 000005
【図８】
0005711079.tif 000006
【図９】
0005711079.tif 000007
【図１１】
0005711079.tif 000008
【図１２】
0005711079.tif 000009
【図１３】
0005711079.tif 000010
【図１４】
0005711079.tif 000011
【図１５】
0005711079.tif 000012
【図３】
0005711079.tif 000013
【図５】
0005711079.tif 000014
【図６】
0005711079.tif 000015
【図１０】
0005711079.tif 000016